(57)【要約】  空気調和機の室内機は、吸込口および吹出口を有し、前記吸込口から前記吹出口に至る風路が形成された本体と、前記風路上に配置された送風ファンと、前記吹出口に設けられ、上下方向の風向を調整する上下風向板と、前記風路を形成する風路壁に配置され、前記上下風向板の回動を支持する支持片と、空気流れ方向に対して傾斜する傾斜部を有し、前記支持片の後方に配置されたリブとを備える。
2019030797.tif 000002
【特許請求の範囲】
【請求項１】
吸込口および吹出口を有し、前記吸込口から前記吹出口に至る風路が形成された本体と、
前記風路上に配置された送風ファンと、
前記吹出口に設けられ、上下方向の風向を調整する上下風向板と、
前記風路を形成する風路壁に配置され、前記上下風向板の回動を支持する支持片と、
空気流れ方向に対して傾斜する傾斜部を有し、前記支持片の後方に配置されたリブと
を備える
空気調和機の室内機。
【請求項２】
前記リブの厚さ方向の幅は、前記支持片の幅以下に形成されている
請求項１に記載の空気調和機の室内機。
【請求項３】
前記支持片の下端部は、ラウンド形状に形成されている
請求項１または２に記載の空気調和機の室内機。
【請求項４】
前記吹出口に設けられ、左右方向の風向を調整する左右風向板をさらに備え、
前記左右風向板は、
前記支持片よりも背面側に設けられ、前記風路壁に接して固定されるとともに、左右方向の両端のうち一端を支点として回動することによって他端が正面側に引き出されるようにされており、
前記風路壁に接する面の、前記左右風向板を正面側に引き出す際に前記支持片が通過する軌跡上にガイドリブが形成されている
請求項１〜３のいずれか一項に記載の空気調和機の室内機。
【請求項５】
前記上下風向板は、
前記本体の左右方向に複数設けられ、
前記支持片および前記リブは、複数の前記上下風向板のそれぞれに対応して複数配置されている
請求項１〜４のいずれか一項に記載の空気調和機の室内機。
【発明の詳細な説明】
【技術分野】
【０００１】
本発明は、空気調和機の室内機に関するものである。
【背景技術】
【０００２】
従来、空気調和機の室内機には、吸込口から吹出口に至る風路に配置されたクロスフローファン等の送風ファンと、送風ファンから送出される調和空気の上下風向を調整する上下風向板と、調和空気の左右風向を調整する左右風向板とが設けられている。また、室内機には、上下風向板が自在に回動できるように、上下風向板の回動軸を支持する支持片が設けられている。支持片は、調和空気の風路上に設置されている（例えば、特許文献１参照）。【０００３】
特許文献１に記載の室内機は、上下風向板および左右風向板を着脱できるようにされており、室内機の風路、送風ファン、上下風向板および左右風向板等に付着した埃および油汚れ等を容易に清掃することができる。そのため、この室内機は、従来の室内機において課題とされていた清潔性の維持を実現することができる。
【先行技術文献】
【特許文献】
【０００４】
【特許文献１】特開２０１６−２０７６６号公報
【発明の概要】
【発明が解決しようとする課題】
【０００５】
しかしながら、特許文献１に記載の室内機は、上下風向板を支持する支持片が調和空気の風路上に設置されているため、送風ファンから吹き出される調和空気は、風路を通過する際に、調和空気が支持片に衝突、あるいは支持片の左右から回り込むように流れる。これにより、支持片の前方には、交流渦が発生する。このように、風路上に設置された支持片は、空気流れの乱れ等による風路抵抗となるため、圧力損失が増大し、送風効率が悪化する。【０００６】
本発明は、上記従来の技術における課題に鑑みてなされたものであって、風路上の風路抵抗を低減させて送風効率を改善することができる空気調和機の室内機を提供することを目的とする。
【課題を解決するための手段】
【０００７】
本発明の空気調和機の室内機は、吸込口および吹出口を有し、前記吸込口から前記吹出口に至る風路が形成された本体と、前記風路上に配置された送風ファンと、前記吹出口に設けられ、上下方向の風向を調整する上下風向板と、前記風路を形成する風路壁に配置され、前記上下風向板の回動を支持する支持片と、空気流れ方向に対して傾斜する傾斜部を有し、前記支持片の後方に配置されたリブとを備えるものである。
【発明の効果】
【０００８】
以上のように、本発明によれば、風路壁に設けられた支持片に対する空気流れの上流側に傾斜部を有するリブを設けることにより、風路上の風路抵抗を低減させて送風効率を改善することができる。
【図面の簡単な説明】
【０００９】
【図１】実施の形態１に係る室内機の外観の一例を示す斜視図である。
【図２】実施の形態１に係る室内機の内部構造を示す断面図である。
【図３】図２の室内機の内部を吹出口から見た場合の概略図である。
【図４】図２の前側風路壁近傍の構造について説明するための概略図である。
【図５】図２の前側風路壁近傍の構造について説明するための側面図である。
【図６】図４の支持片およびリブの構造の一例を示す概略図である。
【図７】図２の左右風向板の構造の一例を示す概略図である。
【図８】図７の左右風向板を引き出す様子を示す概略図である。
【図９】図７の左右風向板について説明するための概略図である。
【図１０】図７の左右風向板について説明するための概略図である。
【図１１】図９の支持部材の構造の一例を示す底面図である。
【図１２】図９の支持部材の構造の一例を示す上面図である。
【図１３】支持部材を上面側から見た場合の構造の他の例を示す斜視図である。
【図１４】図４の支持片およびリブの構造の他の例を示す概略図である。
【図１５】図４の支持片およびリブの構造の他の例を示す概略図である。
【発明を実施するための形態】
【００１０】
実施の形態１．
以下、本発明の実施の形態１に係る空気調和機の室内機について説明する。
【００１１】
［室内機１００の構造］
図１は、本実施の形態１に係る室内機１００の外観の一例を示す斜視図である。図２は、本実施の形態１に係る室内機１００の内部構造を示す断面図である。図１および図２に示すように、室内機１００は、本体１と、本体１内に配置された熱交換器２および送風ファン３とを有し、空調対象空間に設置されている。
【００１２】
室内機１００の本体１は、前面パネル１ａ、側面パネル１ｂ、天面パネル１ｃ、背面パネル１ｄおよび底面パネル１ｅによって形成されている。天面パネル１ｃには、室内機１００の周囲の空気を内部に吸い込むための吸込口１１が形成されている。底面パネル１ｅには、室内機１００の内部に吸い込んだ空気を外部に吹き出すための吹出口１２が形成されている。
【００１３】
本体１の内部には、吸込口１１から吹出口１２へ通じる吹出風路が形成されている。吹出風路は、本体１の前面側に設けられた前側風路壁１０ａと、本体１の背面側に設けられた後側風路壁１０ｂとによって形成される。前側風路壁１０ａは、熱交換器２および送風ファン３の下方から本体１の前面側に向かって延びている。後側風路壁１０ｂは、送風ファン３の背面側から本体１の下面に向かって延びている。
【００１４】
熱交換器２は、吸込口１１から吹出口１２へ通じる吹出風路に配置され、吸込口１１から吸い込まれた室内空気と冷媒との間で熱交換を行う。送風ファン３は、吸込口１１から室内空気を取り込み、周囲に配置された熱交換器２を通過させて吹出口１２から熱交換された空気を送り出す。送風ファン３は、例えばクロスフローファン等で構成され、図示しないモータ等により駆動する。
【００１５】
図３は、図２の室内機１００の内部を吹出口１２から見た場合の概略図である。図３に示すように、熱交換器２の下方には、ドレンパン機構４が設けられている。ドレンパン機構４の上面には、ドレンパン４ａが形成され、熱交換器２からのドレン水を回収する。また、ドレンパン機構４の下面は、送風ファン３の下方から本体１の前面側に向かって延びる前側風路壁１０ａを形成する。
【００１６】
吹出口１２には、吹出口１２を開閉するとともに、吹き出される調和空気の上下方向の風向を調整する上下風向板５ａ〜５ｄが開閉自在に設けられている。上下風向板５ａ〜５ｄは、左右方向が長手方向となる板状部材であり、吹出口１２の左右に配置されるとともに、左右のそれぞれにおいて上下に２枚ずつ配置されている。すなわち、上下風向板５ａは、室内機１００を正面から見た際に、右上側に配置され、上下風向板５ｂは左上側に配置されている。また、上下風向板５ｃは右下側に配置され、上下風向板５ｄは左下側に配置されている。
【００１７】
上下風向板５ａ〜５ｄは、室内機１００の内部を清掃できるように、着脱できる構成となっている。具体的には、上下風向板５ａ〜５ｄは、長手方向の両端部に図示しない支持部が形成され、支持部に回動軸が設けられている。そして、一方の回動軸には、図示しない駆動モータが取り付けられ、それぞれの上下風向板５ａ〜５ｄの駆動モータが個別に動作することにより、上下風向板５ａ〜５ｄが上下方向に回動する。
【００１８】
上下風向板５ａ〜５ｄの支持部は、吹出口１２の長手方向に設けられた軸受によって支持されている。吹出口１２の軸受から上下風向板５ａ〜５ｄの支持部を外すことにより、上下風向板５ａ〜５ｄが室内機１００の本体１から取り外される。
【００１９】
なお、図１および図２に示す例では、吹出口１２が４つの上下風向板５ａ〜５ｄによって４つに分割されている場合を示すが、これに限られず、例えば、吹出口１２は、２つの上下風向板によって上下方向あるいは左右方向に２つに分割されてもよい。また、吹出口１２は、上下風向板によって分割されなくてもよい。すなわち、吹出口１２には、１つの上下風向板が設けられてもよい。
【００２０】
図４は、図２の前側風路壁１０ａ近傍の構造について説明するための概略図である。図５は、図２の前側風路壁１０ａ近傍の構造について説明するための側面図である。図６は、図４の支持片２０およびリブ２１の構造の一例を示す概略図である。図４では、上下風向板５ａ〜５ｄを取り外した状態における室内機１００の内部を底面側からみたときの様子が示されている。
【００２１】
図４〜図６に示すように、前側風路壁１０ａには、支持片２０が設けられ、上下風向板５ａおよび５ｂは、支持片２０によっても回動できるように支持されている。支持片２０は、前側風路壁１０ａから突出するようにして、上下風向板５ａおよび５ｂそれぞれの両端を支持する支持部の間に設けられている。
【００２２】
支持片２０の下端は、ラウンド形状２０ａを有している。支持片２０の下端にラウンド形状２０ａが形成されることにより、支持片２０が上下風向板５ａおよび５ｂの回動を妨げてしまうことが抑制される。
【００２３】
支持片２０の後方には、リブ２１が形成されている。リブ２１は、接続部２２で支持片２０の下端部近傍と接続され、接続部２３で前側風路壁１０ａと接続される。接続部２２は、接続部２３よりも下方に位置する。これにより、リブ２１は、空気流れ方向に対して傾斜する傾斜部２４を有する形状に形成される。なお、「支持片２０の後方」とは、支持片２０に対する空気流れの上流側であり、より詳しくは、室内機１００の底面パネル１ｅに設けられた吹出口１２から本体１の内部を見た場合に支持片２０の後方であることを示す。
【００２４】
また、リブ２１における厚さ方向である左右方向の幅は、支持片２０における左右方向の幅以下とされている。リブ２１の幅を支持片２０の幅以下とすることにより、リブ２１による風路抵抗の増大が抑制される。
【００２５】
図７は、図２の左右風向板６ａおよび６ｂの構造の一例を示す概略図である。図７に示すように、吹出口１２には、吹き出される調和空気の左右方向の風向を調整する左右風向板６ａおよび６ｂが設けられている。左右風向板６ａは、吹出口１２の右側、すなわち上下風向板５ａおよび５ｃに対応する位置に設けられている。左右風向板６ｂは、吹出口１２の左側、すなわち上下風向板５ｂおよび５ｄに対応する位置に設けられている。
【００２６】
図８は、図７の左右風向板６ａおよび６ｂを引き出す様子を示す概略図である。左右風向板６ａおよび６ｂは、通常使用時においては、長手方向の両端が前側風路壁１０ａに固定されているが、図８に示すように、運転停止時等においては、室内機１００の内部を清掃できるように吹出口１２を開放できる構造となっている。具体的には、左右風向板６ａおよび６ｂは、長手方向の両端のうち一端を支点に回動し、他端側を本体１の外部に引き出すことができる。
【００２７】
図９は、図７の左右風向板６ａについて説明するための概略図である。図１０は、図７の左右風向板６ｂについて説明するための概略図である。図９および図１０に示すように、左右風向板６ａおよび６ｂは、複数の羽根６１、複数の羽根６１を連動させる連結棒６２、支持部材６３および図示しない駆動モータで構成されている。
【００２８】
複数の羽根６１は、長手方向に設定間隔で配列され、連結棒６２に連結されている。複数の羽根６１と連結棒６２とは、一体的に形成されてもよい。複数の羽根６１は、左右方向に回動するように、支持部材６３に支持されて取り付けられている。左右風向板６ａおよび６ｂでは、連結棒６２が駆動モータによって左右方向に移動することにより、複数の羽根６１が連動して回動する。このようにして、左右方向の風向が調整される。
【００２９】
図１１は、図９の支持部材６３の構造の一例を示す底面図である。図１２は、図９の支持部材６３の構造の一例を示す上面図である。なお、左右風向板６ａおよび６ｂは、それぞれが左右対称となるように構成されているため、以下では、左右風向板６ａを例にとって説明する。
【００３０】
図１１および図１２に示すように、支持部材６３には、長手方向に設定間隔で複数の羽根取付部６３ａが形成され、それぞれの羽根取付部６３ａには、羽根６１が取り付けられる。また、支持部材６３における長手方向の両端のうち一端は、左右風向板６ａを外部に引き出す際の支点となっている。支持部材６３の他端には、左右風向板６ａを外部に引き出す際のツマミ部６３ｂが設けられている。
【００３１】
さらに、支持部材６３のツマミ部６３ｂ近傍には、ストッパー機構６３ｃが形成されている。ストッパー機構６３ｃは、左右風向板６ａを固定する際に、前側風路壁１０ａに設けられた図示しない凹部に押し当てて収納される。これにより、吹出口１２から吹き出される空気の影響を受けることなく左右風向板６ａが固定される。なお、左右風向板６ａの固定を解除する場合には、ユーザ等がツマミ部６３ｂを持って左右風向板６ａを外部方向に引き出すことにより、前側風路壁１０ａの凹部からストッパー機構６３ｃが外れる。
【００３２】
図１２に示すように、支持部材６３の上面側には、ガイドリブ６３ｄが形成されている。ガイドリブ６３ｄは、左右風向板６ａを外部方向に引き出す際に、前側風路壁１０ａの支持片２０と接触して吹出口１２の開放を妨げるのを抑制するために設けられている。ガイドリブ６３ｄは、左右風向板６ａを外部方向に引き出す際に、支持片２０が通過する軌跡上に設けられている。左右風向板６ａを外部方向に引き出す場合、ガイドリブ６３ｄをリブ２１の傾斜部２４に沿わせるようにして左右風向板６ａを引き出すことにより、左右風向板６ａがスムーズに引き出される。
【００３３】
図１３は、支持部材６３を上面側から見た場合の構造の他の例を示す斜視図である。図１３に示すように、支持部材６３には、前側風路壁１０ａの支持部材６３との接触を防ぐための逃がし構造６３ｅが形成されている。これにより、左右風向板６ａを外部方向に引き出す際に、支持部材６３が逃がし構造６３ｅを通過し、左右風向板６ａがスムーズに引き出される。しかし、この場合には、吹出口１２から吹き出す空気が逃がし構造６３ｅの壁面に当たり、空気の流れが遮られてしまう。そのため、送風効率および左右方向への気流の制御性が悪化する。
【００３４】
本実施の形態１では、図１２に示すように、支持部材６３にガイドリブ６３ｄが設けられることにより、逃がし構造６３ｅが不要となり、気流の制御性が悪化するのを抑制することができる。
【００３５】
［空気の流れ］
次に、上記構成を有する室内機１００における空気の流れについて説明する。送風ファン３によって吸込口１１から室内機１００に取り込まれた空気は、熱交換器２を通過し、熱交換器２内を流れる冷媒と熱交換を行う。そして、熱交換を行った空気は、調和空気として送風ファン３に到達する。なお、熱交換器２での熱交換の際に生じるドレン水は、熱交換器２の下方に設けられたドレンパン４ａで回収され、図示しないドレン配管を通って室内機１００の外部に流出する。
【００３６】
送風ファン３に到達した調和空気は、送風ファン３の内部または送風ファン３と後側風路壁１０ｂとの間の隙間を通過する。そして、送風ファン３から送出された調和空気は、左右風向板６ａおよび６ｂ、ならびに上下風向板５ａ〜５ｄによって風向が調整され、吹出口１２から空調対象空間に吹き出される。
【００３７】
ここで、送風ファン３から送出され、前側風路壁１０ａに沿うようにして流れる調和空気は、支持片２０の後方に設けられたリブ２１の傾斜部２４に沿うようにして流れる。そのため、調和空気は、支持片２０によって流れを妨げられることなく、吹出口１２から吹き出される。これにより、従来よりも風路抵抗が低減され、送風効率が向上する。
【００３８】
以上のように、本実施の形態１に係る空気調和機の室内機１００は、前側風路壁１０ａに配置された支持片２０の後方に傾斜部２４を有するリブ２１を設けている。これにより、前側風路壁１０ａに沿って流れる空気がリブ２１の傾斜部２４に沿って流れるため、風路抵抗を低減し、送風効率を向上させることができる。
【００３９】
また、室内機１００において、リブ２１の幅は、支持片２０の幅以下に形成されている。これにより、リブ２１による風路抵抗の増大が防止されるため、風路抵抗を低減することができる。
【００４０】
さらに、室内機１００において、支持片２０の下端部にラウンド形状２０ａが形成されている。これにより、上下風向板５ａおよび５ｂが回動する際に、支持片２０によって上下風向板５ａおよび５ｂの回動が妨げられてしまうことが抑制されるため、上下風向板５ａおよび５ｂを確実に回動させることができる。
【００４１】
さらにまた、室内機１００において、左右風向板６ａおよび６ｂの前側風路壁１０ａに接する面には、左右風向板６ａを外部方向に引き出す際に支持片２０が通過する軌跡上にガイドリブ６３ｄが形成されている。これにより、左右風向板６ａおよび６ｂがリブ２１の傾斜部２４に沿うようにして引き出されるため、左右風向板６ａおよび６ｂが支持片２０に当たって引き出せなくなることを抑制できる。
【００４２】
以上、本発明の実施の形態１について説明したが、本発明は、上述した本発明の実施の形態１に限定されるものではなく、本発明の要旨を逸脱しない範囲内で様々な変形や応用が可能である。例えば、支持片２０およびリブ２１の構造は、上述した例に限られない。図１４および図１５は、図４の支持片２０およびリブ２１の構造の他の例を示す概略図である。図１４に示すように、支持片２０とリブ２１との接続部２２ａ、ならびにリブ２１と前側風路壁１０ａとの接続部２３ａがラウンド形状に形成されてもよい。また、図１５に示すように、ラウンド形状２０ａの接線となるような接続部２２ｂと、接続部２３とによって傾斜部２４ｂが形成されてもよい。
【００４３】
さらに、支持部材６３に形成されたガイドリブ６３ｄに代えて、左右風向板６ａおよび６ｂが開放される際に、リブ２１の傾斜部２４が沿うようにして通過することができる溝が形成されてもよい。すなわち、支持片２０の後方に、風路抵抗を低減することができるリブ形状が形成されればよい。
【符号の説明】
【００４４】
１  本体、１ａ  前面パネル、１ｂ  側面パネル、１ｃ  天面パネル、１ｄ  背面パネル、１ｅ  底面パネル、２  熱交換器、３  送風ファン、４  ドレンパン機構、４ａ  ドレンパン、５ａ、５ｂ、５ｃ、５ｄ  上下風向板、６ａ、６ｂ  左右風向板、１０ａ  前側風路壁、１０ｂ  後側風路壁、１１  吸込口、１２  吹出口、２０  支持片、２０ａ  ラウンド形状、２１  リブ、２２、２２ａ、２２ｂ、２３、２３ａ  接続部、２４、２４ｂ  傾斜部、６１  羽根、６２  連結棒、６３  支持部材、６３ａ  羽根取付部、６３ｂ  ツマミ部、６３ｃ  ストッパー機構、６３ｄ  ガイドリブ、６３ｅ  逃がし構造、１００  室内機。
【図１】
2019030797.tif 000003
【図２】
2019030797.tif 000004
【図３】
2019030797.tif 000005
【図４】
2019030797.tif 000006
【図５】
2019030797.tif 000007
【図６】
2019030797.tif 000008
【図７】
2019030797.tif 000009
【図８】
2019030797.tif 000010
【図９】
2019030797.tif 000011
【図１０】
2019030797.tif 000012
【図１１】
2019030797.tif 000013
【図１２】
2019030797.tif 000014
【図１３】
2019030797.tif 000015
【図１４】
2019030797.tif 000016
【図１５】
2019030797.tif 000017
【国際調査報告】
2019030797.tif 000018
2019030797.tif 000019
2019030797.tif 000020
2019030797.tif 000021